(57)【要約】      （修正有）【課題】単純な機構で実現され、ブラシ部分のみの交換が可能であるような歯間ブラシ用アタッチメント、及び、その歯間ブラシ用アタッチメントを用いた超音波歯間ブラシ装置を提供する。【解決手段】超音波振動子３１を備える把握部３に装着されて超音波を伝導するための歯間ブラシ用アタッチメント１であって、アタッチメントの把握部と反対の側に歯間ブラシ２の根元部を挿入する凹部１１を備える。合わせて、このアタッチメントに、把握部及び歯間ブラシを加えた超音波歯間ブラシ装置である。【選択図】図３
0003184582.tif 000002
【実用新案登録請求の範囲】
【請求項１】
超音波振動子を備える把握部に装着されて該超音波を伝導するための歯間ブラシ用アタッチメントであって、
前記アタッチメントの前記把握部と反対の側に歯間ブラシの根元部を挿入する凹部を備えることを特徴とする、歯間ブラシ用アタッチメント。
【請求項２】
前記凹部が円柱形状であることを特徴とする、請求項１に記載の歯間ブラシ用アタッチメント。
【請求項３】
前記把握部と、該把握部に装着された前記歯間ブラシ用アタッチメントと、該歯間ブラシ用アタッチメントの前記凹部に挿入されて把持される歯間ブラシとを備えることを特徴とする、超音波歯間ブラシ装置。
【考案の詳細な説明】
【技術分野】
【０００１】
本考案は、超音波歯ブラシ装置の把握部に装着されて歯間ブラシに超音波を伝導する歯間ブラシ用アタッチメント、及び、その歯間ブラシ用アタッチメントを用いた超音波歯間ブラシ装置に関するものである。
【背景技術】
【０００２】
把握部に超音波振動子を備え、超音波を歯ブラシの毛先に伝導して歯磨きの効率を高める超音波歯ブラシ装置は、広く用いられ、知られている。
同様にして、超音波を歯間ブラシの毛先に伝導して歯間磨きの効率を高めることは、歯間に残るプラークに起因する歯周病が多いことを考えれば、好ましい。しかし、かかる超音波歯間ブラシ装置は、製造販売がされておらず、広く知られたものではない。
【０００３】
超音波歯間ブラシ装置についての技術は、特許文献１、特許文献２等に開示されている。それにもかかわらず、超音波歯間ブラシ装置の製造販売がされていない理由としては、経済的な理由が考えられる。
特許文献１に開示されたものは、歯間ブラシを直接に把握部に装着する。このため、歯間ブラシを交換する際に、ブラシ部分のみでなく把握部に装着するための部分をも合わせて交換しなければならない。交換部品が比較的高価なものとなってしまう。歯間ブラシは、歯ブラシに比して耐用日数が短く、頻繁に交換するので、交換部品の価格がユーザにとって大きな問題となる。
特許文献２に開示されたものは、ブラシ部分のみの交換が可能である。しかし、機構が複雑であり、超音波歯間ブラシ装置自身が高価なものとなってしまう。
【先行技術文献】
【特許文献】
【０００４】
【特許文献１】特開２００３−１１１７７９号公報
【特許文献２】特開平１０−０１４９４８号公報
【考案の概要】
【考案が解決しようとする課題】
【０００５】
解決しようとする課題は、単純な機構で実現され、ブラシ部分のみの交換が可能であるような歯間ブラシ用アタッチメント、及び、その歯間ブラシ用アタッチメントを用いた超音波歯間ブラシ装置を提供することである。
【課題を解決するための手段】
【０００６】
本考案の歯間ブラシ用アタッチメントは、
超音波振動子を備える把握部に装着されて該超音波を伝導するための歯間ブラシ用アタッチメントであって、
前記アタッチメントの前記把握部と反対の側に歯間ブラシの根元部を挿入する凹部を備えることを特徴とする。
【０００７】
凹部を除けば、特別な機構を必要としない。凹部によってブラシ部分のみの交換が可能となる。
なお、出願人の調査によれば、市販の歯間ブラシの根元部は、多くの製品において略同一形状である。１つの歯間ブラシ用アタッチメントによって、市販の歯間ブラシの多くに超音波を伝導することができる。ユーザは、市販されている安価な歯間ブラシを用いて超音波による歯間磨きを行うことができる。
【０００８】
本考案の歯間ブラシ用アタッチメントは、
前記凹部が円柱形状であることを特徴とする。
【０００９】
市販の歯間ブラシの根元部が多くの製品において正八角柱形状である。凹部が円柱形状であれば、八角形の角部が円周部分に強く密着されて歯間ブラシが歯間ブラシ用アタッチメントに保持され、超音波が伝導される。
【００１０】
本考案の超音波歯間ブラシ装置は、
前記把握部と、該把握部に装着された前記歯間ブラシ用アタッチメントと、該歯間ブラシ用アタッチメントの前記凹部に挿入されて把持される歯間ブラシとを備えることを特徴とする。
【００１１】
上記の歯間ブラシ用アタッチメントを用いた超音波歯間ブラシ装置である。ユーザにとってのコストが小さなものとなる。
【考案の効果】
【００１２】
単純な機構で実現され、ブラシ部分のみの交換が可能であるような歯間ブラシ用アタッチメント、及び、その歯間ブラシ用アタッチメントを用いた超音波歯間ブラシ装置が提供される。
歯間ブラシの交換を含めたコストが小さいものとなり、効率的な歯間磨きが広まる。歯周病の予防が促進される。
【図面の簡単な説明】
【００１３】
【図１】図１は、歯間ブラシ用アタッチメントを示す図である。
【図２】図２は、超音波歯間ブラシ装置を示す図である。
【図３】図３は、歯間ブラシ用アタッチメント、歯間ブラシ及び把握部の構造を示す図である。
【考案を実施するための形態】
【００１４】
図１は、歯間ブラシ用アタッチメントを示す図である。歯間ブラシ用アタッチメント１には、凹部１１及び超音波振動子挿入部１２が設けられている。凹部１１は、図において上方視を示しているとおり、円柱形状である。
【００１５】
図２は、超音波歯間ブラシ装置を示す図である。歯間ブラシ用アタッチメント１は、その上部に歯間ブラシ２が挿入され、その下部において把握部３に装着されている。
把握部３には超音波振動子３１及びスイッチ３２が設けられている。スイッチ３２を操作することによって超音波振動子３１から超音波が発せられる。超音波は、歯間ブラシ用アタッチメント１に伝導され、さらに歯間ブラシ２に伝導される。
【００１６】
図３は、歯間ブラシ用アタッチメント、歯間ブラシ及び把握部の構造を示す図である。歯間ブラシ用アタッチメント１の凹部１１に歯間ブラシ２が挿入され、超音波振動子挿入部１２に超音波振動子３１が挿入されている。
超音波振動子３１から発せられる超音波を効率的に歯間ブラシ２に伝導するため、歯間ブラシ用アタッチメント１は、可撓性を有し歯間ブラシ２及び超音波振動子３１に密着することが好ましい。特に、凹部１１における可撓性は、交換して用いられる歯間ブラシ２の微細な大小差に対応する上で重要である。
【産業上の利用可能性】
【００１７】
単純な機構で実現され、ブラシ部分のみの交換が可能であるような歯間ブラシ用アタッチメント、及び、その歯間ブラシ用アタッチメントを用いた超音波歯間ブラシ装置である。効率的な歯間磨きが実現され、歯間ブラシの交換を含めたコストが小さいものであり、多くの個人による利用が考えられる。
【符号の説明】
【００１８】
１    歯間ブラシ用アタッチメント
１１  凹部
１２  超音波振動子挿入部
２    歯間ブラシ
３    把握部
３１  超音波振動子
３２  スイッチ
【図１】
0003184582.tif 000003
【図２】
0003184582.tif 000004
【図３】
0003184582.tif 000005